(57)【要約】【課題】レンズバリアの開閉の度に使用者がレンズ鏡筒からレンズフードに持ち替えなくてもよいレンズ鏡筒を提供すること。【解決手段】光学系（Ｌ１，Ｌ２，Ｌ１０）を有するレンズ鏡筒において、前記光学系を遮蔽する第１の位置と前記光学系を遮蔽しないで前記光学系の物体側に突出する第２の位置とに移動可能な板状部材（１３ａ，１３ｂ，１３ｃ，１３ｄ，１０４ａ，１０４ｂ）を支持する第１部材（５，１０２）と、前記光学系を光軸方向に移動可能に支持するとともに、前記第１部材に対して前記光学系の光軸方向に移動する第２部材（１１，１００）とを有し、前記第２部材が前記第１部材に対して前記光学系の物体側に移動する際に、前記光学系の光軸方向への移動に連動して前記板状部材が前記第１の位置から前記第２の位置に移動するように、前記板状部材に対して前記第２部材を配置したことを特徴とするレンズ鏡筒。【選択図】図２
2010230753.tif 000002
【特許請求の範囲】
【請求項１】
光学系を有するレンズ鏡筒において、
前記光学系を遮蔽する第１の位置と前記光学系を遮蔽しないで前記光学系の物体側に突出する第２の位置とに移動可能な板状部材を支持する第１部材と、
前記光学系を光軸方向に移動可能に支持するとともに、前記第１部材に対して前記光学系の光軸方向に移動する第２部材とを有し、
前記第２部材が前記第１部材に対して前記光学系の物体側に移動する際に、前記光学系の光軸方向への移動に連動して前記板状部材が前記第１の位置から前記第２の位置に移動するように、前記板状部材に対して前記第２部材を配置したことを特徴とするレンズ鏡筒。
【請求項２】
請求項１に記載のレンズ鏡筒において、
前記第２部材を前記光学系の光軸方向へ移動可能なカムを有し、
前記カムは、前記第２部材を前記光学系の光軸方向に移動させる第1のカム部と、前記第２部材を前記光学系の光軸方向に対して静止させる第２のカム部とを有することを特徴とするレンズ鏡筒。
【請求項３】
請求項２に記載のレンズ鏡筒において、
前記第1のカム部と前記第２のカム部とは連続して設けられていることを特徴とするレンズ鏡筒。
【請求項４】
請求項２または３に記載のレンズ鏡筒において、
前記第1のカム部は、前記第２のカム部に対して傾斜して設けられていることを特徴とするレンズ鏡筒。
【請求項５】
請求項１から4のいずれか一項に記載のレンズ鏡筒において、
前記板状部材は、第１及び第２の板状部材を有し、
前記第２部材は、前記第２部材が前記光学系の物体側に移動した際に前記光学系の物体側に突出して前記第１の板状部材に当接する第１の突出部と、前記第２部材が前記光学系の物体側に移動した際に前記光学系の物体側に突出して前記第２の板状部材に当接する第２の突出部とを有し、
前記第２部材が前記第1部材に対して前記光学系の像面側に移動する際に、前記第２の突出部の前記第２の板状部材への当接が解除されるよりも先に前記第１の突出部の前記第１の板状部材への当接が解除されるように、前記１の突出部よりも前記第２の突出部の突出量を大きく設けたことを特徴とするレンズ鏡筒。
【請求項６】
請求項１から4のいずれか一項に記載のレンズ鏡筒において、
前記板状部材は、第1及び第２の板状部材を有し、
前記第1及び第２の板状部材が前記第２の位置に移動した状態において、前記第２の板状部材の前記光学系の物体側に突出する突出量を前記第１の板状部材の前記光学系の物体側に突出する突出量よりも小さく設けたことを特徴とするレンズ鏡筒。
【請求項７】
請求項１から4のいずれか一項に記載のレンズ鏡筒において、
前記板状部材は、第1及び第２の板状部材を有し、
前記第1及び第２の板状部材が、前記第１の位置において互いの縁部を当接して前記光学系を遮蔽するように、前記第１の板状部材に対して前記第２の板状部材を配置したことを特徴とするレンズ鏡筒。
【請求項８】
請求項１から７のいずれか一項に記載のレンズ鏡筒において、
前記板状部材が磁性部を有することを特徴とするレンズ鏡筒。
【請求項９】
請求項１から８のいずれか一項に記載のレンズ鏡筒において、
前記板状部材を支持する枠部材を前記第１部材に対して着脱可能に設けたことを特徴とするレンズ鏡筒。
【請求項１０】
請求項１から９のいずれか一項に記載のレンズ鏡筒を備えた撮像装置。
【発明の詳細な説明】
【技術分野】
【０００１】
本発明は、光学系を遮蔽する部材を備えたレンズ鏡筒及び撮像装置に関するものである。
【背景技術】
【０００２】
従来、レンズフードとレンズバリアとを備え、レンズフードの進退動作に連動してレンズバリアが開閉するフード連動バリアを備えたレンズ鏡筒が特許文献１に開示されている。
【先行技術文献】
【特許文献】
【０００３】
【特許文献１】特開平３−１３９２３号公報
【発明の概要】
【発明が解決しようとする課題】
【０００４】
しかし、特許文献１のレンズ鏡筒は、使用者がレンズバリアを開閉するためにレンズフードをレンズ鏡筒に対して進退させる必要があり、レンズバリアの開閉の度に使用者がレンズ鏡筒からレンズフードに持ち替えなければならないという問題があった。
【０００５】
そこで本発明は、使用者がレンズバリアの開閉の度にレンズ鏡筒からレンズフードに持ち替えなくてもよいレンズ鏡筒及び撮像装置を提供することを目的とする。
【課題を解決するための手段】
【０００６】
請求項１の発明は、光学系（Ｌ１，Ｌ２，Ｌ１０）を有するレンズ鏡筒において、前記光学系を遮蔽する第１の位置と前記光学系を遮蔽しないで前記光学系の物体側に突出する第２の位置とに移動可能な板状部材（１３ａ，１３ｂ，１３ｃ，１３ｄ，１０４ａ，１０４ｂ）を支持する第１部材（５，１０２）と、前記光学系を光軸方向に移動可能に支持するとともに、前記第１部材に対して前記光学系の光軸方向に移動する第２部材（１１，１００）とを有し、前記第２部材が前記第１部材に対して前記光学系の物体側に移動する際に、前記光学系の光軸方向への移動に連動して前記板状部材が前記第１の位置から前記第２の位置に移動するように、前記板状部材に対して前記第２部材を配置したことを特徴とするレンズ鏡筒である。
【０００７】
請求項２の発明は、請求項１に記載のレンズ鏡筒において、前記第２部材を前記光学系の光軸方向へ移動可能なカム（１０ｂ）を有し、前記カムは、前記第２部材を前記光学系の光軸方向に移動させる第1のカム部（１０ｃ）と、前記第２部材を前記光学系の光軸方向に対して静止させる第２のカム部（１０ｄ）とを有することを特徴とするレンズ鏡筒である。
【０００８】
請求項３の発明は、請求項２に記載のレンズ鏡筒において、前記第1のカム部と前記第２のカム部とは連続して設けられていることを特徴とするレンズ鏡筒である。
【０００９】
請求項４の発明は、請求項２または３に記載のレンズ鏡筒において、前記第1のカム部は、前記第２のカム部に対して傾斜して設けられていることを特徴とするレンズ鏡筒。
【００１０】
請求項５の発明は、請求項１から4のいずれか一項に記載のレンズ鏡筒において、前記板状部材は、第１及び第２の板状部材（１３ａ及び１３ｂ）を有し、前記第２部材は、前記第２部材が前記光学系の物体側に移動した際に前記光学系の物体側に突出して前記第１の板状部材に当接する第１の突出部（１１ａ）と、前記第２部材が前記光学系の物体側に移動した際に前記光学系の物体側に突出して前記第２の板状部材に当接する第２の突出部（１１ｂ）とを有し、前記第２部材が前記第1部材に対して前記光学系の像面側に移動する際に、前記第２の突出部の前記第２の板状部材への当接が解除されるよりも先に前記第１の突出部の前記第１の板状部材への当接が解除されるように、前記１の突出部よりも前記第２の突出部の突出量を大きく設けたことを特徴とするレンズ鏡筒である。
【００１１】
請求項６の発明は、請求項１から４のいずれか一項に記載のレンズ鏡筒において、前記板状部材は、第1及び第２の板状部材（１３ａ、１３ｂ）を有し、前記第1及び第２の板状部材が前記第２の位置に移動した状態において、前記第２の板状部材の前記光学系の物体側に突出する突出量を前記第１の板状部材の前記光学系の物体側に突出する突出量よりも小さく設けたことを特徴とするレンズ鏡筒である。
【００１２】
請求項７の発明は、請求項１から4のいずれか一項に記載のレンズ鏡筒において、前記板状部材は、第1及び第２の板状部材（１４ａ及び１４ｂ）を有し、前記第1及び第２の板状部材が、前記第１の位置において互いの縁部を当接して前記光学系を遮蔽するように、前記第１の板状部材に対して前記第２の板状部材を配置したことを特徴とするレンズ鏡筒である。
【００１３】
請求項８の発明は、請求項１から７のいずれか一項に記載のレンズ鏡筒において、前記板状部材が磁性部（１５ａ，１５ｂ，１５ｃ）を有することを特徴とするレンズ鏡筒である。
【００１４】
請求項９の発明は、請求項１から８のいずれか一項に記載のレンズ鏡筒において、前記板状部材を支持する枠部材（１６）を前記第１部材に対して着脱可能に設けたことを特徴とするレンズ鏡筒である。
【００１５】
請求項１０の発明は、請求項１から９のいずれか一項に記載のレンズ鏡筒を備えた撮像装置である。
【００１６】
なお、本発明をわかりやすく説明するために一実施例を表す図面の符号に対応づけて説明したが、本発明はこれに限定されるものではなく、後述の実施形態の構成を適宜改良してもよく、また、実施形態に開示された構成の少なくとも一部を他の構成物に代替させても良い。
【図面の簡単な説明】
【００１７】
【図１】本発明の実施形態に係るレンズ鏡筒１をカメラボディ２に装着した状態において、板状部材１３ａ、１３ｃがレンズ鏡筒１の光学系Ｌを遮蔽する位置に移動した状態を示す断面図である。
【図２】本発明の実施形態に係るレンズ鏡筒１をカメラボディ２に装着した状態において、板状部材１３ａ、１３ｃがレンズ鏡筒１の光学系Ｌを遮蔽しない位置に移動した状態を示す断面図である。
【図３】本発明の実施形態に係る直進筒１１を内周側から見た状態を示す展開図である。
【図４】本発明の実施形態に係る板状部材１３ａ、１３ｂ、１３ｃ、１３ｄがレンズ鏡筒１の光学系Ｌを遮蔽した状態におけるレンズ鏡筒１の正面図である。
【図５】本発明の実施形態に係るカム筒６とズーム環１０とを内周側から見た状態を示す展開図である。図５（ａ）は、カム筒６を内周側から見た状態を示す展開図である。図５（ｂ）は、ズーム環１０を内周側から見た状態を示す展開図である。
【図６】本発明の実施形態に係る板状部材１３ａ、１３ｂ、１３ｃ、１３ｄの変形例であって、板状部材１４ａ、１４ｂ、１４ｃ、１４ｄがレンズ鏡筒１の光学系Ｌを遮蔽した状態におけるレンズ鏡筒１の正面図である。
【図７】本発明の実施形態に係る磁性部１５ａ、１５ｂ、１５ｃを設けた板状部材１３ａ、１３ｂ、１３ｃ、１３ｄがレンズ鏡筒１の光学系Ｌを遮蔽した状態を図１のＡ方向から見た状態を示す図である。
【図８】本発明の実施形態に係る板状部材１３ａ、１３ｂ、１３ｃ、１３ｄを、枠部材１６を介してレンズ鏡筒１に装着した状態を示す断面図である。
【図９】本発明の実施形態に係る板状部材１０４ａ、１０４ｂを備えたレンズ一体式カメラの断面の概略図である。図９（ａ）は、板状部材１０４ａ、１０４ｂがレンズ支持部材１００の光学系Ｌ１０を遮蔽する位置に移動した状態におけるレンズ一体式カメラの断面の概略図である。図９（ｂ）は、板状部材１０４ａ、１０４ｂがレンズ支持部材１００の光学系Ｌ１０を遮蔽しない位置に移動した状態におけるレンズ一体式カメラの断面の概略図である。
【発明を実施するための形態】
【００１８】
図１は、本発明の実施形態に係るレンズ鏡筒１をカメラボディ２に装着した状態であって、後述する板状部材１３ａ、１３ｃが第１レンズ群Ｌ１と第２レンズ群Ｌ２とから構成される光学系Ｌを遮蔽する位置に移動した状態を示す断面図である。また、図２は、板状部材１３ａ、１３ｃがレンズ鏡筒１の光学系Ｌを遮蔽しない位置に移動した状態を示す断面図である。
【００１９】
図１、図２で示すように、本発明の実施形態に係るレンズ鏡筒１は、カメラボディ２のボディマウント３に係合されるレンズマウント４を有し、このレンズマウント４と一体的に設けられた固定筒５を有している。この固定筒５には直進溝５ａ、５ｂが形成されている。また、固定筒５の内周面に接してカム筒６が配置されている。カム筒６はカム溝６ａとカム溝６ｂとを有しており、このカム溝６ａには、摺動筒７のフォロアピン７ａが係合し、カム溝６ｂには、第２レンズ群保持筒９のフォロアピン９ａが係合している。摺動筒７は、前述のフォロアピン７ａ、第１レンズ群Ｌ１を保持する第１レンズ群保持筒８に形成されたカム溝８ａに係合するフォロアピン７ｂ及び、前述のフォロアピン９ａを逃がすための逃げ溝７ｃを有しており、第１レンズ群Ｌ１及び第２レンズ群Ｌ２に機械的に接続されている。
【００２０】
また、第１レンズ群保持筒８が不図示のモーター等によってレンズ鏡筒１の光学系Ｌの光軸（Ｏ）を中心に回動されると、第１レンズ群Ｌ１は摺動筒７に対して光軸（Ｏ）方向に移動してフォーカシングを行う。また、第２レンズ群Ｌ２を保持する第２レンズ群保持筒９が摺動筒７の内周面に接して配置されており、第１レンズ群Ｌ１と第２レンズ群Ｌ２とをズーミングさせるためのズーム環１０が固定筒５の外周面に接して配置されている。      
【００２１】
また、固定筒５の端部（図１の−Ｘ方向）には、ヒンジ部１２ａ、１２ｃを介して板状部材１３ａ、１３ｃが、枢支されている。なお、図１には図示されていないが、図３のレンズ鏡筒１の正面図で示されるように、固定筒５の端部には、ヒンジ部１２ｂ、１２ｄを介して板状部材１３ｂ、１３ｄも枢支されている。ズーム環１０は、カム筒６に係合する連結キー１０ａ及び、後述の直進筒１１のフォロアピン１１ｅに係合するカム溝１０ｂを有している。
【００２２】
すなわち、ズーム環１０の操作により、カム筒６がズーム環１０と一体となって回動して第１レンズ群Ｌ１と第２レンズ群Ｌ２とを光軸方向に移動させるとともに、直進筒１１を光軸方向に移動させる。直進筒１１は、後述の突出部１１ａ、１１ｂ、１１ｃ、１１ｄを有し、レンズ鏡筒１の光学系Ｌの物体側（図１、図２の−Ｘ方向）に移動した際に、板状部材１３ａ、１３ｂ、１３ｃ、１３ｄを押圧することにより、板状部材１３ａ、１３ｂ、１３ｃ、１３ｄが光学系Ｌを遮蔽しない位置まで移動させる（図２参照）。また、直進筒１１がレンズ鏡筒１の像面側（図１の＋Ｘ方向）に移動した際に、突出部１１ａ、１１ｂ、１１ｃ、１１ｄの板状部材１３ａ、１３ｂ、１３ｃ、１３ｄへの押圧が解除されて、板状部材１３ａ、１３ｂ、１３ｃ、１３ｄが光学系Ｌを遮蔽する位置まで移動される（図１参照）。
【００２３】
図３は、直進筒１１を内周側から見た状態を示す展開図である。直進筒１１は、前述のようにズーム環１０のカム溝１０ｂに係合するフォロアピン１１ｅを有するとともに、直進筒１１の端部（図３の−Ｘ方向）に、板状部材１３ａ、１３ｂ、１３ｃ、１３ｄを押圧するための突出部１１ａ、１１ｂ、１１ｃ、１１ｄを有している。突出部１１ａ、１１ｂ、１１ｃ、１１ｄは、光学系Ｌの物体側（図３の−Ｘ方向）に突出する突出量が、突出部１１ｄ、１１ｂ、１１ｃ、１１ａの順に大きく設けられている。これは、突出部１１ａ、１１ｂ、１１ｃ、１１ｄの板状部材１３ａ、１３ｂ、１３ｃ、１３ｄへの押圧を板状部材１３ａ、１３ｃ、１３ｂ、１３ｄの順に解除させることで板状部材１３ａ、１３ｂ、１３ｃ、１３ｄを板状部材１３ａ、１３ｃ、１３ｂ、１３ｄの順に閉じさせるためである。
【００２４】
直進筒１１が、ズーム環１０の回動に伴って光学系Ｌの物体側（図３の−Ｘ方向）に移動すると、突出部１１ａ、１１ｂ、１１ｃ、１１ｄは、突出部１１ｄ、１１ｂ、１１ｃ、１１ａの順（突出量の大きい順）に固定筒５から光学系Ｌの物体側に突出する。また、直進筒１１が、ズーム環１０の回動に伴って光学系Ｌの像面側（図３の＋Ｘ方向）に移動すると、突出部１１ａ、１１ｂ、１１ｃ、１１ｄは、突出部１１ａ、１１ｃ、１１ｂ、１１ｄの順（突出量の小さい順）に固定筒５に収容される。
【００２５】
図４は、板状部材１３ａ、１３ｂ、１３ｃ、１３ｄがレンズ鏡筒１の光学系Ｌを遮蔽する位置に移動した状態におけるレンズ鏡筒１の正面図である。板状部材１３ａ、１３ｂ、１３ｃ、１３ｄは、固定筒５の端部にヒンジ部１２ａ、１２ｂ、１２ｃ、１２ｄを介して枢支されており、ヒンジ部１２ａ、１２ｂ、１２ｃ、１２ｄに設けられた不図示のバネ等によってレンズ鏡筒１の光学系Ｌを遮蔽する位置に移動する方向に付勢されている。
【００２６】
板状部材１３ａ、１３ｂ、１３ｃ、１３ｄがレンズ鏡筒１の光学系Ｌを遮蔽する位置に移動した状態において、直進筒１１が光学系Ｌの物体側に移動して突出部１１ａ、１１ｂ、１１ｃ、１１ｄが光学系Ｌの物体側に固定筒５から突出すると、板状部材１３ａは突出部１１ａに、板状部材１３ｂは突出部１１ｂに、板状部材１３ｃは突出部１１ｃに、板状部材１３ｄは突出部１１ｄに押圧されて、板状部材１３ａ、１３ｂ、１３ｃ、１３ｄがレンズ鏡筒１の光学系Ｌを遮蔽する位置から遮蔽しない位置に移動していく。このとき、突出部１１ａ、１１ｂ、１１ｃ、１１ｄが突出部１１ｄ、１１ｂ、１１ｃ、１１ａの順（突出量の大きい順）に固定筒５から突出するので、板状部材１３ａ、１３ｂ、１３ｃ、１３ｄは板状部材１３ｄ、１３ｂ、１３ｃ、１３ａの順に突出部１１ａ、１１ｂ、１１ｃ、１１ｄに押圧されていく。
【００２７】
また、板状部材１３ａ、１３ｂ、１３ｃ、１３ｄがレンズ鏡筒１の光学系Ｌを遮蔽しない位置に移動して開いた状態において、直進筒１１が光学系Ｌの像面側に移動して突出部１１ａ、１１ｂ、１１ｃ、１１ｄが固定筒５に収容されると、板状部材１３ａ、１３ｂ、１３ｃ、１３ｄへの突出部１１ａ、１１ｂ、１１ｃ、１１ｄの押圧が解除されて、板状部材１３ａ、１３ｂ、１３ｃ、１３ｄがレンズ鏡筒１の光学系Ｌを遮蔽しない位置から遮蔽する位置に移動する。
【００２８】
このとき、突出部１１ａ、１１ｂ、１１ｃ、１１ｄが突出部１１ａ、１１ｃ、１１ｂ、１１ｄの順（突出量が小さい順）に固定筒５に収容されるので、板状部材１３ａ、１３ｂ、１３ｃ、１３ｄへの突出部１１ａ、１１ｂ、１１ｃ、１１ｄの押圧が板状部材１３ａ、１３ｃ、１３ｂ、１３ｄの順に解除され、板状部材１３ａ、１３ｂ、１３ｃ、１３ｄは板状部材１３ａ、１３ｃ、１３ｂ、１３ｄの順にレンズ鏡筒１の光学系Ｌを遮蔽しない位置から遮蔽する位置に移動する。
【００２９】
なお、板状部材１３ａ、１３ｂ、１３ｃ、１３ｄがレンズ鏡筒１の光学系Ｌを遮蔽しない位置に移動した状態において、板状部材１３ａ、１３ｃの光学系Ｌの物体側に突出する突出量よりも板状部材１３ｂ、１３ｄの光学系Ｌの物体側に突出する突出量が小さいので、板状部材１３ｂ、１３ｄによって撮影画角がけられるのを防止している。
【００３０】
図５は、カム筒６とズーム環１０とを内周側から見た状態を示す展開図である。図５（ａ）は、カム筒６を内周側から見た状態を示す展開図である。また、図５（ｂ）は、ズーム環１０を内周側から見た状態を示す展開図である。
【００３１】
図５（ａ）で示すように、カム筒６のカム溝６ａは、カム筒６の周方向（図５のａ−ｂ方向）に対して角度(で傾斜して設けられている。カム筒６のカム溝６ａには、摺動筒７のフォロアピン７ａが係合している。板状部材１３ａ、１３ｂ、１３ｃ、１３ｄがレンズ鏡筒１の光学系Ｌを遮蔽する位置に移動した状態において、摺動筒７のフォロアピン７ａは、カム筒６のカム溝６ａを位置Ｐまで移動している。この状態において、使用者によるズーム環１０の操作によってカム筒６が光学系Ｌの像面側から見て右回り（図５のａ方向）に回動されると、摺動筒７のフォロアピン７ａはカム筒６のカム溝６ａを位置Ｐから位置Ｑを経て位置Ｒまで移動する。
【００３２】
このとき、摺動筒７及び第１レンズ群保持筒８は、摺動筒７のフォロアピン７ａの移動に伴って、レンズ鏡筒１の光学系Ｌの物体側に移動する。また、摺動筒７のフォロアピン７ａがカム筒６のカム溝６ａを位置Ｒまで移動した状態において、使用者によるズーム環１０の操作によってカム筒６が光学系Ｌの像面側から見て左回り（図５のｂ方向）に回動されると、摺動筒７のフォロアピン７ａは位置Ｒから位置Ｑを経て位置Ｐまで移動する。このとき、摺動筒７及び第１レンズ群保持筒８は、摺動筒７のフォロアピン７ａの移動に伴って、レンズ鏡筒１の光学系Ｌの像面側に移動する。
【００３３】
図５（ｂ）のズーム環１０の内周面の展開図が示すように、ズーム環１０のカム溝１０ｂは、ズーム環１０の周方向（図５のａ−ｂ方向）に対して角度(（＞(）で傾斜して設けられた第１のカム部１０ｃ（図５のＳ−Ｔ間）と、ズーム環１０の周方向（図５のａ−ｂ方向）に沿って設けられた第２のカム部１０ｄ（図５のＴ−Ｕ間）とを有している。ズーム環１０のカム溝１０ｂには直進筒１１のフォロアピン１１ｅが係合している。直進筒１１は、直進筒１１のフォロアピン１１ｅがズーム環１０の第１のカム部１０ｃを移動するのに伴って、レンズ鏡筒１の光学系Ｌの光軸方向に移動し、直進筒１１のフォロアピン１１ｅがズーム環１０の第２のカム部１０ｄを移動するのに伴って、レンズ鏡筒１の光学系Ｌの光軸方向の位置を一定に維持する。
【００３４】
板状部材１３ａ、１３ｂ、１３ｃ、１３ｄがレンズ鏡筒１の光学系Ｌを遮蔽する位置に移動した状態において、直進筒１１のフォロアピン１１ｅは、ズーム環１０のカム溝１０ｂを位置Ｓまで移動している。この状態において、使用者によってズーム環１０がレンズ鏡筒１の光学系Ｌの像面側から見て右回り（図５のａ方向）に回動されると、直進筒１１のフォロアピン１１ｅは、ズーム環１０のカム溝１０ｂを位置Ｓから位置Ｔを経て位置Ｕまで移動する。このとき、直進筒１１は、直進筒１１のフォロアピン１１ｅがズーム環１０のカム溝１０ｂを位置Ｓから位置Ｔまで移動するのに伴って、レンズ鏡筒１の光学系Ｌの物体側に移動し、直進筒１１のフォロアピン１１ｅがズーム環１０のカム溝１０ｂを位置Ｔから位置Ｕまで移動するのに伴って、レンズ鏡筒１の光学系Ｌの光軸方向の位置を一定に維持する。
【００３５】
また、直進筒１１のフォロアピン１１ｅがズーム環１０のカム溝１０ｂを位置Ｕまで移動した状態において、使用者によってズーム環１０がレンズ鏡筒１の光学系Ｌの像面側から見て左回り（図５のｂ方向）に回動されると、直進筒１１のフォロアピン１１ｅはズーム環１０のカム溝１０ｂを位置Ｕから位置Ｔを経て位置Ｓまで移動する。このとき、直進筒１１は、直進筒１１のフォロアピン１１ｅがズーム環１０のカム溝１０ｂを位置Ｕから位置Ｔまで移動するのに伴って、レンズ鏡筒１の光学系Ｌの光軸方向の位置を一定に維持し、直進筒１１のフォロアピン１１ｅがズーム環１０のカム溝１０ｂを位置Ｔから位置Ｓまで移動するのに伴って、レンズ鏡筒１の光学系Ｌの像面側に移動する。
【００３６】
次に、板状部材１３ａ、１３ｃの開閉動作について説明する。図１及び図２で図示されていない板状部材１３ｂ、１３ｄの開閉動作は、板状部材１３ａ、１３ｃの開閉動作とほぼ同じなので説明を省略する。
【００３７】
図１の板状部材１３ａ、１３ｃがレンズ鏡筒１の光学系Ｌを遮蔽する位置に移動した状態において、使用者によってズーム環１０がレンズ鏡筒１の光学系Ｌの像面側から見て右回りに光軸（Ｏ）を中心に回動されると、カム筒６に係合するズーム環１０の連結キー１０ａを介してカム筒６もズーム環１０と一体となって回動される。
【００３８】
カム筒６の回動に伴って、摺動筒７に設けられたフォロアピン７ａが固定筒５の直進溝５ａとカム筒６のカム溝６ａとに沿ってレンズ鏡筒１の光学系の物体側（図１の−Ｘ方向）に移動し、それに伴って、摺動筒７及び摺動筒７に係合する第１レンズ群保持筒８がレンズ鏡筒１の光学系Ｌの物体側（図１の−Ｘ方向）に移動する。この間、摺動筒７のフォロアピン７ａは、図５（ａ）で示されるカム筒６の内周面の展開図において、カム筒６のカム溝６ａを位置Ｐから位置Ｑまで移動する。
【００３９】
一方、ズーム環１０の回動に伴って、直進筒１１のフォロアピン１１ｅは、固定筒５の直進溝５ｂとズーム環１０のカム溝１０ｂとに沿ってレンズ鏡筒１の光学系Ｌの物体側（図１の−Ｘ方向）に移動し、それに伴って、直進筒１１はレンズ鏡筒１の光学系Ｌの物体側（図１の−Ｘ方向）に移動する。このとき、直進筒１１に設けられた突出部１１ａ、１１ｃが１１ｃ、１１ａの順（突出量の大きい順）に固定筒５から光学系Ｌの物体側（図１の−Ｘ方向）に突出する。その結果、板状部材１３ｃが直進筒１１の突出部１１ｃに押圧された後に、板状部材１３ａが直進筒１１の突出部１１ａに押圧されて、板状部材１３ａ、１３ｃは１３ｃ、１３ａの順にレンズ鏡筒１の光学系Ｌを遮蔽する位置から遮蔽しない位置に移動する(図２参照)。この間、直進筒１１のフォロアピン１１ｅは、図５（ｂ）で示されるズーム環１０の内周面の展開図において、ズーム環１０に設けられたカム溝１０ｂの第１のカム部１０ｃを位置Ｓから位置Ｔまで移動する。
【００４０】
なお、ズーム環１０の第１のカム部１０ｃがズーム環１０の周方向（図５のａ−ｂ方向）となす角度(が、カム筒６のカム溝６ａがカム筒６の周方向（図５のａ−ｂ方向）となす角度(よりも大きいことにより、直進筒１１はズーム環１０の単位回転量あたりの光軸方向への移動量が摺動筒７よりも大きい。したがって、直進筒１１は、摺動筒７及び摺動筒７が係合する第１レンズ群保持筒８よりも先に光学系Ｌの物体側（図１の−Ｘ方向）に移動し、第１レンズ群保持筒８が板状部材１３ａ、１３ｃに当接する前に直進筒１１の突出部１１ａ、１１ｃが板状部材１３ａ、１３ｃを押し開くことができる。
【００４１】
使用者によってズーム環１０がさらに回動されると、ズーム環１０と一体となって回動するカム筒６の回動に伴って摺動筒７のフォロアピン７ａは固定筒５の直進溝５ａとカム筒６のカム溝６ａとに沿ってレンズ鏡筒１の光学系Ｌの物体側（図２の−Ｘ方向）にさらに移動し、摺動筒７及び第１レンズ群保持筒８が光学系Ｌの物体側（図２の−Ｘ方向）にさらに移動する。この間、摺動筒７のフォロアピン７ａは、図５（ａ）で示されるカム筒６の内周面の展開図において、カム筒６のカム溝６ａを位置Ｑから位置Ｒまで移動する。      
【００４２】
一方、ズーム環１０の回動に伴って、直進筒１１のフォロアピン１１ｅは、レンズ鏡筒１の光学系Ｌの光軸（Ｏ）方向（図５のＸ軸方向）の位置を一定に維持した状態でズーム環１０のカム溝１０ｂに沿って移動し、それに伴って、直進筒１１は直進筒１１の突出部１１ａ、１１ｃを固定筒５から光学系Ｌの物体側に突出した状態で光軸（Ｏ）方向（図２のＸ軸方向）の位置を一定に維持する。その結果、板状部材１３ａ、１３ｃがレンズ鏡筒１の光学系Ｌを遮蔽しない位置に移動した状態が維持される。この間、直進筒１１のフォロアピン１１ｅは、図５（ｂ）で示されるズーム環１０の展開図において、ズーム環１０に設けられたカム溝１０ｂの第２のカム部１０ｄを位置Ｔから位置Ｕまで移動する。
【００４３】
また、図２の板状部材１３ａ、１３ｃがレンズ鏡筒１の光学系Ｌを遮蔽しない位置に移動した状態において、使用者がズーム環１０をレンズ鏡筒１の光学系Ｌの像面側から見て左回りに光軸（Ｏ）を中心に回動させると、カム筒６に係合するズーム環１０の連結キー１０ａを介してカム筒６もズーム環１０と一体となって光学系Ｌの像面側から見て左回りに回動される。
【００４４】
カム筒６の回動に伴って、摺動筒７に設けられたフォロアピン７ａは固定筒５の直進溝５ａとカム筒６のカム溝６ａとに沿ってレンズ鏡筒１の像面側（図２の＋Ｘ方向）に移動し、それに伴って、摺動筒７及び第１レンズ群保持筒８は、レンズ鏡筒１の光学系Ｌの像面側（図２の＋Ｘ方向）に移動する。この間、摺動筒７のフォロアピン７ａは、図５（ａ）で示されるカム筒６の内周面の展開図において、カム筒６のカム溝６ａを位置Ｒから位置Ｑに移動する。
【００４５】
一方、ズーム環１０の回動に伴って、直進筒１１に設けられたフォロアピン１１ｅは、レンズ鏡筒１の光学系Ｌの光軸（Ｏ）方向（図５のＸ軸方向）の位置を一定に維持した状態でズーム環１０のカム溝１０ｂに沿って移動し、それに伴って、直進筒１１は直進筒１１の突出部１１ａ、１１ｃを固定筒５から光学系Ｌの物体側に突出した状態で光軸（Ｏ）方向（図２のＸ軸方向）の位置を一定に維持する。その結果、板状部材１３ａ、１３ｃがレンズ鏡筒１の光学系Ｌを遮蔽しない位置に移動した状態が維持される。この間、直進筒１１のフォロアピン１１ｅは、図５（ｂ）で示されるズーム環１０の内周面の展開図において、ズーム環１０に設けられたカム溝１０ｂの第２のカム部１０ｄを位置Ｕから位置Ｔまで移動する。
【００４６】
使用者によってズーム環１０がさらに回動されると、ズーム環１０と一体となって回動するカム筒６の回動に伴って、摺動筒７のフォロアピン７ａはカム筒６のカム溝６ａに沿ってレンズ鏡筒１の像面側（図２の＋Ｘ方向）に移動し、摺動筒７及び第１レンズ群保持筒８が光学系Ｌの像面側（図２の＋Ｘ方向）にさらに移動する。この間、摺動筒７のフォロアピン７ａは、図５（ａ）で示されるカム筒６の内周面の展開図において、カム筒６のカム溝６ａを位置Ｑから位置Ｐまで移動する。
【００４７】
一方、直進筒１１のフォロアピン１１ｅは、固定筒５の直進溝５ｂとズーム環１０のカム溝１０ｂとに沿ってレンズ鏡筒１の像面側（図２の＋Ｘ方向）に移動し、それに伴って、直進筒１１は、光学系Ｌの像面側（図２の＋Ｘ方向）に移動する。このとき、直進筒１１の端部に設けられた突出部１１ａ、１１ｃは、１１ａ、１１ｃの順（突出量の小さい順）に固定筒５に収容される。
【００４８】
その結果、板状部材１３ａへの突出部１１ａの押圧が解除された後、板状部材１３ｃへの突出部１１ｃの押圧が解除され、板状部材１３ａ、１３ｃが１３ａ、１３ｃの順にレンズ鏡筒１の光学系Ｌを遮蔽する位置に移動して、図１の状態となる。この間、直進筒１１のフォロアピン１１ｅは、図５（ｂ）で示されるズーム環１０の内周面の展開図において、ズーム環１０に設けられたカム溝１０ｂの第１のカム部１０ｃを位置Ｔから位置Ｓまで移動する。
【００４９】
なお、図５で示すカム筒６とズーム環１０の内周面の展開図において、摺動筒７のフォロアピン７ａがカム筒６に設けられたカム溝６ａのＱ−Ｒ間を移動する間は、直進筒１１のフォロアピン１１ｅがズーム環１０に設けられたカム溝１０ｂのＴ−Ｕ間（第２のカム部１０ｄ）を移動することで直進筒１１の突出部１１ａ、１１ｂ、１１ｃ、１１ｄによって板状部材１３ａ、１３ｂ、１３ｃ、１３ｄがレンズ鏡筒１の光学系Ｌを遮蔽しない位置に維持されるので、カム筒６に設けられたカム溝６ａのＱ−Ｒ間における第1レンズ群保持筒８の移動範囲を通常撮影に使用するズーミング範囲とすることが望ましい。
【００５０】
また、摺動筒７のフォロアピン７ａがカム筒６に設けられたカム溝６ａのＰ−Ｑ間を移動する間は、直進筒１１のフォロアピン１１ｅがズーム環１０に設けられたカム溝１０ｂのＳ−Ｔ間（第１のカム部１０ｄ）を移動することで直進筒１１がレンズ鏡筒１の光学系Ｌの光軸方向（図５のＸ軸方向）に移動して板状部材１３ａ、１３ｂ、１３ｃ、１３ｄが開閉するので、板状部材１３ａ、１３ｂ、１３ｃ、１３ｄの開閉状態によっては撮影画角がけられる可能性がある。したがって、カム筒６に設けられたカム溝６ａのＰ−Ｑ間における第1レンズ群保持筒８の移動範囲を第１レンズ群保持筒８の固定筒５への収容範囲とし、撮影に使用しないことが望ましい。
【００５１】
以上説明した実施形態に限定されることなく、種々の変形や変更が可能であって、それらも本発明の均等の範囲内である。
【００５２】
本実施形態において、図４で示すように、板状部材１３ａ、１３ｂ、１３ｃ、１３ｄがレンズ鏡筒１の光学系Ｌを遮蔽する位置に移動した状態において、板状部材１３ａの前方（図１の−Ｘ方向）に板状部材１３ｃが重なり、更に板状部材１３ｃの前方（図１の−Ｘ方向）に板状部材１３ｂ、１３ｄが重なる例を説明したが、図６に示すように、板状部材１４ａ、１４ｂ、１４ｃ、１４ｄがレンズ鏡筒１の光学系Ｌの光軸（Ｏ）方向に重なることなく、互いの縁部を当接させてレンズ鏡筒１の光学系Ｌを遮蔽する状態を形成するようにしてもよい。
【００５３】
この場合、突出部１１ａ、１１ｂ、１１ｃ、１１ｄのレンズ鏡筒１の光学系Ｌの物体側（図１の−Ｘ方向）への突出量を全て同じにして、直進筒１１がレンズ鏡筒１の光学系Ｌの像面側（図１の＋Ｘ方向）に移動する際に、図６に示す板状部材１４ａ、１４ｂ、１４ｃ、１４ｄが同時にレンズ鏡筒１の光学系Ｌを遮蔽しない位置から遮蔽する位置に移動するようにしてもよい。また、板状部材１４ａ、１４ｂ、１４ｃ、１４ｄがレンズ鏡筒１の光学系Ｌを遮蔽しない位置に移動した状態において、板状部材１４ａ、１４ｂ、１４ｃ、１４ｄがレンズ鏡筒１の光学系Ｌの物体側に突出する突出量は、板状部材１４ｂ、１４ｄを板状部材１４ａ、１４ｃに対して小さく設けることで撮影画角のケラレを防止するようにしてもよい。
【００５４】
また、本実施形態において、板状部材１３ａ、１３ｂ、１３ｃ、１３ｄがレンズ鏡筒１の光学系Ｌを遮蔽する位置に移動した状態が、ヒンジ部１２ａ、１２ｂ、１２ｃ、１２ｄの不図示のバネ等の付勢力によって維持される例を説明したが、磁性体の磁力によってその状態が維持されるようにしてもよい。例えば、図７に示すように、板状部材１３ａ、１３ｂ、１３ｃ、１３ｄがレンズ鏡筒１の光学系Ｌを遮蔽する位置に移動した状態で、レンズ鏡筒１の光学系Ｌの光軸方向（図７の−Ｘ方向）に重なる板状部材１３ｂ、１３ｃ、１３ｄの接する位置に磁性部１５ａ、１５ｂ、１５ｃを設けることで、磁性部１５ｂと磁性部１５ａ、１５ｃとの間に働く磁力によって板状部材１３ａ、１３ｂ、１３ｃ、１３ｄがレンズ鏡筒１の光学系Ｌを遮蔽する位置に移動した状態を維持するようにしてもよい。
【００５５】
また、本実施形態において、板状部材１３ａ、１３ｂ、１３ｃ、１３ｄがヒンジ部１２ａ、１２ｂ、１２ｃ、１２ｄを介して固定筒５に設けられる例を示したが、図８に示すように、固定筒５に対して着脱可能な枠部材１６を介して固定筒５に設けてもよい。この場合、固定筒５の端部をズーム環１０に対してレンズ鏡筒１の光学系Ｌの物体側（図８の−Ｘ方向）に突出する形状とし、その突出部５ｃに板状部材１３ａ、１３ｂ、１３ｃ、１３ｄを枢支する枠部材１６を装着するようにしてもよい。なお、枠部材１６の突出部５ｃへの装着方法は、図８に示すような嵌め込み式のほか、ねじ込み式、バヨネット式等でもよい。
【００５６】
以上説明した実施形態によれば、レンズ鏡筒１は、光学系Ｌを遮蔽する位置と光学系Ｌを遮蔽しないで光学系Ｌの物体側に突出する位置とに移動可能な板状部材１３ａ、１３ｂ、１３ｃ、１３ｄを支持する固定筒５と、光学系Ｌを光軸方向に移動可能に支持するとともに、固定筒５に対して光学系Ｌの光軸方向に移動する直進筒１１とを有し、直進筒１１が固定筒５に対して光学系Ｌの物体側に移動する際に、光学系Ｌの光軸方向への移動に連動して板状部材１３ａ、１３ｂ、１３ｃ、１３ｄが光学系Ｌを遮蔽する位置から光学系Ｌを遮蔽しないで光学系Ｌの物体側に突出する位置に移動するように、板状部材１３ａ、１３ｂ、１３ｃ、１３ｄに対して直進筒１１を配置したので、使用者が板状部材１３ａ、１３ｂ、１３ｃ、１３ｄの開閉の度にズーム環１０から板状部材１３ａ、１３ｂ、１３ｃ、１３ｄに持ち替えなくてもよいという効果が得られる。
【００５７】
また、以上説明した実施形態において、レンズ交換式の一眼レフカメラに装着されるレンズ鏡筒について説明したが、この形態に限定されることなく、例えば、図９に示すような電動ズームタイプのレンズ一体式カメラ（撮像装置）を実施形態とすることもできる。
【００５８】
図９は、後述の板状部材１０４ａ、１０４ｂを備えたレンズ一体式カメラ（撮像装置）の断面の概略図である。図９（ａ）は、板状部材１０４ａ、１０４ｂがレンズ支持部材１００の光学系Ｌ１０を遮蔽する位置に移動した状態を示す図であり、図９（ｂ）は、板状部材１０４ａ、１０４ｂがレンズ支持部材１００の光学系Ｌ１０を遮蔽しない位置に移動した状態を示す図である。
【００５９】
図９のレンズ一体式カメラにおいて、レンズ支持部材１００は光学系Ｌ１０を光軸（Ｏ）方向（図９のＸ軸方向）に移動可能に支持している。使用者が、カメラボディ１０１に設けられた不図示の操作部材を操作することにより、レンズ支持部材１００は枠部材１０２を介して光軸（Ｏ）方向（図９のＸ軸方向）に光学系Ｌ１０とともに電動で移動可能となっている。
【００６０】
枠部材１０２には、ヒンジ部１０３ａ、１０３ｂを介して板状部材１０４ａ、１０４ｂが枢支されており、レンズ支持部材１００の光学系Ｌ１０を遮蔽する位置と遮蔽しない位置とに移動可能となっている。すなわち、図９で示されるレンズ一体式カメラのレンズ鏡筒は、レンズ支持部材１００と、枠部材１０２と、板状部材１０４ａ、１０４ｂとで構成される。
【００６１】
図９（ａ）で示すように、板状部材１０４ａ、１０４ｂがレンズ支持部材１００の光学系Ｌ１０を遮蔽する位置に移動した状態では、板状部材１０４ａ、１０４ｂはレンズキャップとして機能する。また、図９（ｂ）で示すように、板状部材１０４ａ、１０４ｂがレンズ支持部材１００の光学系Ｌ１０を遮蔽しない位置に移動した状態では、板状部材１０４ａ、１０４ｂはレンズフードとして機能する。レンズ支持部材１００が光学系Ｌ１０とともに、光学系Ｌ１０の像面側（図９の＋Ｘ方向）に移動してカメラボディ１０１に収容された状態では、板状部材１０４ａ、１０４ｂはヒンジ部１０３ａ、１０３ｂに設けられた不図示のバネ等の付勢力によってレンズ支持部材１００の光学系Ｌ１０を遮蔽する位置に移動している（図９（ａ）参照）。
【００６２】
この状態において、レンズ支持部材１００が光学系Ｌ１０とともに光学系Ｌ１０の物体側（図９の−Ｘ方向）に移動すると、板状部材１０４ａ、１０４ｂはレンズ支持部材１００に押圧されてヒンジ部１０３ａ、１０３ｂに設けられた不図示のバネ等の付勢力に抗しながらレンズ支持部材１００の光学系Ｌ１０を遮蔽する位置から遮蔽しない位置へ移動する(図９（ｂ）参照)。
【００６３】
また、板状部材１０４ａ、１０４ｂがレンズ支持部材１００の光学系Ｌ１０を遮蔽しない位置に移動した図９（ｂ）の状態において、レンズ支持部材１００が光学系Ｌ１０とともに光学系Ｌ１０の像面側（図９の＋Ｘ方向）に移動してカメラボディ１０１に収容されると、板状部材１０４ａ、１０４ｂへのレンズ支持部材１００の押圧が解除される。その結果、板状部材１０４ａ、１０４ｂは、ヒンジ部１０３ａ、１０３ｂの不図示のバネ等の付勢力によってレンズ支持部材１００の光学系Ｌ１０を遮蔽しない位置から遮蔽する位置に移動する(図９（ａ）参照)。
【００６４】
以上説明したレンズ一体式カメラ（撮像装置）の実施形態によれば、カメラボディ１０１は、光学系Ｌ１０を遮蔽する位置と光学系Ｌ１０を遮蔽しないで光学系Ｌ１０の物体側に突出する位置とに移動可能な板状部材１０４ａ，１０４ｂを支持する枠部材１０２と、光学系Ｌ１０を光軸方向に移動可能に支持するとともに、枠部材１０２に対して光学系Ｌ１０の光軸方向に移動するレンズ支持部材１００とを有し、レンズ支持部材１００が枠部材１０２に対して光学系Ｌ１０の物体側に移動する際に、光学系Ｌ１０の光軸方向への移動に連動して板状部材１０４ａ、１０４ｂが光学系Ｌ１０を遮蔽する位置から光学系Ｌ１０を遮蔽しないで光学系Ｌ１０の物体側に突出する位置に移動するように、板状部材１０４ａ、１０４ｂに対してレンズ支持部材１００を配置したレンズ鏡筒を備えたので、使用者が板状部材１０４ａ、１０４ｂの開閉の度に、レンズ支持部材１００を光軸方向に移動させるための操作部材を操作する位置から板状部材１０４ａ、１０４ｂに持ち替えなくてもよいという効果が得られる。
【符号の説明】
【００６５】
１  レンズ鏡筒
５  固定筒
６  カム筒
７  摺動筒
８  第１レンズ群保持筒
９  第２レンズ群保持筒
１０  ズーム環
１１  直進筒
１１ａ、１１ｂ、１１ｃ、１１ｄ  突出部
１３ａ、１３ｂ、１３ｃ、１３ｄ  板状部材
１５ａ、１５ｂ、１５ｃ  磁性部
１６  枠部材
【図１】
2010230753.tif 000003
【図２】
2010230753.tif 000004
【図３】
2010230753.tif 000005
【図４】
2010230753.tif 000006
【図５】
2010230753.tif 000007
【図６】
2010230753.tif 000008
【図７】
2010230753.tif 000009
【図８】
2010230753.tif 000010
【図９】
2010230753.tif 000011